(57)【要約】【課題】  本発明は、発掘調査の現場における作業負担が小さく、現場作業員と離れた場所に居る遺構実測図作成者との間の意思疎通を円滑にすることによって、遺構発掘作業の工期短期化を図る遺構発掘調査方法を提供することを目的とする。【解決手段】  開示の遺構発掘調査方法は、遺構の発掘調査を行う現場において、発掘工程と、白色塗料塗布工程と、写真撮影工程と、第一の画像データ送信工程と、遺構実測図を作成する作業場において、第一の画像データ受信工程と、オルソ画像生成工程と、遺構実測図生成工程と、第二の画像データ送信工程と、さらに、遺構発掘調査を行う現場において、第二の画像データ受信工程と、遺構実測図確認工程と、を含む。【選択図】図３
2014066531.tif 000002
【特許請求の範囲】
【請求項１】
遺構の発掘調査を行う現場において、
遺構実測図を作成する部位を発掘する発掘工程と、
前記遺構実測図を作成する部位において一の部分と他の部分とを区別したい箇所に、白色の塗料を塗布することによって、前記一の部分と前記他の部分との境界線を引く作業を行う白色塗料塗布工程と、
前記遺構実測図を作成する部位に関し、正面方向から上下に角度を変えてそれぞれ１カットずつ、左右方向に角度を変えてそれぞれ１カットずつ、計４枚の写真をデジタルカメラで撮影する写真撮影工程と、
前記写真撮影工程において撮影した写真の画像データ及び前記遺構実測図を作成する部位の座標データを含む遺構実測図作成用データを、現場端末を利用し、前記遺構実測図を作成する遺構実測図作成装置に通信ネットワークを介して送信する第一の画像データ送信工程と、
前記遺構実測図を作成する作業場において、
前記遺構実測図作成装置が、前記遺構実測図作成用データを受信する第一の画像データ受信工程と、
前記遺構実測図作成用データに対し所定の情報処理を行うことによって、前記遺構実測図を作成する部位の位置情報を含むオルソ画像データを生成するオルソ画像生成工程と、
前記オルソ画像データに対し所定の境界閾値を適用した２階調化処理及び白黒反転処理を施すことによって、前記遺構実測図データを生成する遺構実測図生成工程と、
前記遺構実測図生成工程において生成された前記遺構実測図データを、前記通信ネットワークを介して、前記現場端末に送信する第二の画像データ送信工程と、
前記遺構発掘調査を行う現場において、
前記現場端末が前記遺構実測図データを受信する第二の画像データ受信工程と、
前記現場端末上に表示させた前記遺構実測図データ、又は前記現場端末から印刷させた前記遺構実測図データが、前記遺構実測図を作成する部位と一致しているか否かについて視覚的に確認する遺構実測図確認工程と、を含む遺構発掘調査方法。
【請求項２】
前記境界線が、前記遺構実測図を作成する部位における上端線、下端線、又は分層線であることを特徴とする請求項１に記載の遺構発掘調査方法。
【請求項３】
遺構断面図について、前記発掘工程、前記白色塗料塗布工程、前記写真撮影工程、前記第一の画像データ送信工程、前記第一の画像データ受信工程、前記オルソ画像生成工程、前記遺構実測図生成工程、前記第二の画像データ送信工程、前記第二の画像データ受信工程及び前記遺構実測図確認工程を実行すると共に、該遺構実測図確認工程において両者が一致しているとの確認が取れた後、
遺構平面図について、前記発掘工程、前記白色塗料塗布工程、前記写真撮影工程、前記第一の画像データ送信工程、前記第一の画像データ受信工程、前記オルソ画像生成工程、前記遺構実測図生成工程、前記第二の画像データ送信工程、前記第二の画像データ受信工程及び前記遺構実測図確認工程を実行することを特徴とする請求項１又は２に記載の遺構発掘調査方法。
【請求項４】
前記第一の画像データ送信工程において、前記写真撮影工程で使用した前記デジタルカメラの識別情報を前記遺構実測図作成装置に送信し、
前記オルソ画像生成工程において、前記デジタルカメラの識別情報に基づいて、該デジタルカメラが備えるレンズのゆがみを補正した前記オルソ画像データを生成することを特徴とする請求項１乃至３の何れか一に記載の遺構発掘調査方法。
【請求項５】
前記写真撮影工程において、遺構平面図に関する遺構実測図を作成する場合、撮影方向を一意に決めるための所定のカメラスタンド装置が規定する平面俯瞰位置、正面斜め俯瞰位置、左斜め俯瞰位置及び右斜め俯瞰位置から前記４枚の写真をデジタルカメラで撮影することを特徴とする請求項１乃至４の何れか一に記載の遺構発掘調査方法。
【請求項６】
前記所定のカメラスタンド装置が、撮影現場の地面に設置する支持台と、該支持台によって立設され、かつ、カメラが取り付けられる長尺状の一本の支柱とを備え、該支柱を、前記支持台に対して、左右方向及び前方向に傾斜可能に、かつ、周方向に回転可能に立設すると共に、前記支柱の上端側に前記カメラを俯仰自在に設け、かつ、該カメラの俯仰角度の調整を可能にしてなるカメラスタンド装置であって、前記支持台を、板状のベース体と、該ベース体上に固定された球状支持部材と、該球状支持部材を覆うように前記ベース体上に一体化した筒状ケース体とから少なくとも構成し、前記筒状ケース体の上面に、前記支柱を鉛直方向に延在させた状態を保持する中央凹みと、前記支柱が左方向に傾斜した状態を保持する左傾斜保持用凹みと、前記支柱が右方向に傾斜した状態を保持する右傾斜保持用凹みと、前記支柱が前方向に傾斜した状態を保持する前方傾斜保持用凹みと、これら中央凹み、左傾斜保持用凹み、右傾斜保持用凹み及び前方傾斜保持用凹みへの前記支柱の移動を可能にする移動用通路からなる開口を設けると共に、前記左傾斜保持用凹み、右傾斜保持用凹み及び前方傾斜保持用凹みによって、前記支柱の左右方向及び前方向の傾斜角度が、略同一となるように前記支柱が保持される構成とし、さらに、前記支柱の下端に内壁を略半球状とした嵌合凹部材を固定して該嵌合凹部材を、前記筒状ケース体の開口を通して前記支持台の球状支持部材に対して、回転自在に、かつ、着脱自在に、嵌合させることで、前記支柱を前記支持台に対して、回転自在に、かつ、着脱自在に設け、しかも、前記支柱には、前記筒状ケース体の中央凹みに前記支柱を嵌合させた状態で前記支柱を上方に持ち上げた際に、前記中央凹みの縁部下面に係止して前記嵌合凹部材が前記球形頭部から抜け出ることを阻止し、かつ、前記支柱を傾けて前記中央凹みに嵌合しない状態とすることで前記支柱を上方に持ち上げた際に、前記中央凹みの縁部下面に係止することなく前記嵌合凹部材が前記球形頭部から抜け出ることを可能にするストッパーリングを固定したことを特徴とする請求項５に記載の遺構発掘調査方法。
【請求項７】
前記遺構実測図確認工程において、一致していると視覚的に確認が出来なかった場合、さらに、
前記現場端末上で前記遺構実測図データを修正することによって作成した遺構実測図修正データ、又は修正を加えた前記印刷させた遺構実測図データについてスキャナで読み取った遺構実測図修正データを、修正指示と共に、前記遺構実測図作成装置に送信する第三の画像データ送信工程を含むことを特徴とする請求項１乃至６の何れか一に記載の遺構発掘調査方法。
【発明の詳細な説明】
【技術分野】
【０００１】
遺構発掘調査において遺構実測図を作成する技術に関する。
【背景技術】
【０００２】
遺構とは、昔の都市や建造物の形や構造を知るための手がかりとなる残存物である。そして、土木工事や建築工事を行う場所に遺構が存在する場合、文化財保護法など所定の法律による要請に基づき、当該遺構がこれら工事によって破壊される前に、遺構に関する記録を作成し、作成した記録を保管する必要がある。
【０００３】
上記遺構に関する記録には、当該遺構を断面方向及び平面方向から実測した遺構断面図及び遺構平面図が含まれ、当該図面の中に上端線、下端線、分層線、表土線、位置情報などを記載することによって、遺構の詳細を記録するのである。
【０００４】
上記のような遺構発掘調査は、緊急発掘調査と呼ばれ、工事施主の都合により発掘調査に割り当てられる期間が非常に短いため、短期間で正確な遺構実測図を作成する必要がある。そのような状況下、遺構発掘調査を短期間で正確に行う技術に関し、幾つかの提案がなされている。
【０００５】
例えば、特許文献１では、遺跡現場での遺構実測図粗図の作成を容易にし、遺跡現場から離れた場所で遺構実測図粗図から遺構実測図を早く正確に編集作成し、遺跡現場では測量点の測量に集中するために、光波測量機器により測量した実測値を遺構実測支援システムにデータ送信し、遺構実測支援システムは、実測値を公共座標系の座標値に変換して座標値データを作成し、該座標値データから遺構実測図粗図を作成して遺構実測図粗図ファイルに記憶し、プリントアウトした遺構実測図粗図を現場観察により修正した遺構実測図粗図修正図をイメージスキャナで読み取り、遺構実測図粗図データ及び遺構実測図粗図修正図データを遺構実測図編集システムに送信し、遺構実測図編集システムは、遺構実測図粗図修正図に基づいて遺構実測図粗図を画面上で編集して遺構実測図を作成し、該遺構実測図を遺跡現場に送信して確認を取る方法が提案されている。
【先行技術文献】
【特許文献】
【０００６】
【特許文献１】特開２００３−６５７６３号公報
【発明の概要】
【発明が解決しようとする課題】
【０００７】
しかしながら、上記技術においては、発掘調査の現場において、遺構実測図粗図の作成・記憶、当該図データの修正・スキャン・記憶など煩雑な作業を強いることになり、現場作業員のスキル教育、高スキルの作業員が必要になることによる作業単価の上昇、現場機材のコスト上昇など提案方法の実現が難しいという問題点が有った。
【０００８】
そこで、上記問題点に鑑み、本発明は、発掘調査の現場における作業負担が小さく、現場作業員と離れた場所に居る遺構実測図作成者との間の意思疎通を円滑にすることによって、遺構発掘作業の工期短期化を図る遺構発掘調査方法を提供することを目的とする。
【課題を解決するための手段】
【０００９】
開示する遺構発掘調査方法の一形態は、遺構の発掘調査を行う現場において、遺構実測図を作成する部位を発掘する発掘工程と、前記遺構実測図における一の部分と他の部分とを区別したい箇所に、白色の塗料を塗布することによって、前記一の部分と前記他の部分との境界線を引く作業を行う白色塗料塗布工程と、前記遺構実測図を作成する部位に関し、正面位置から上下に角度を変えてそれぞれ１カットずつ、左右に角度を変えてそれぞれ１カットずつ、４枚の写真をデジタルカメラで撮影する写真撮影工程と、前記写真撮影工程において撮影した写真に関する画像データ及び前記遺構実測図を作成する部位に関する座標データを含む遺構実測図作成用データを、現場端末を利用し、前記遺構実測図を作成する遺構実測図作成装置に通信ネットワークを介して送信する第一の画像データ送信工程と、遺構実測図を作成する作業場において、前記遺構実測図作成装置が、前記遺構実測図作成用データを受信する第一の画像データ受信工程と、前記遺構実測図作成用データに対し所定の情報処理を行うことによって、位置情報を含むオルソ画像データを生成するオルソ画像生成工程と、前記オルソ画像データに対し所定の境界閾値を適用した２階調化処理及び白黒反転処理を施すことによって、前記遺構実測図データを生成する遺構実測図生成工程と、前記遺構実測図生成工程において生成された前記遺構実測図データを、前記通信ネットワークを介して、前記現場端末に送信する第二の画像データ送信工程と、前記遺構発掘調査を行う現場において、前記現場端末が前記遺構実測図データを受信する第二の画像データ受信工程と、前記現場端末上に表示させた前記遺構実測図データ、又は前記現場端末から印刷した前記遺構実測図データが、前記遺構実測図を作成する部位と一致しているか否かについて視覚的に確認する遺構実測図確認工程と、を含む。
【００１０】
また、開示する遺構発掘調査方法の一形態は、上記構成に加え、前記境界線が、遺構実測図を作成する部位における上端線、下端線、又は分層線であることを特徴とする。
【００１１】
また、開示する遺構発掘調査方法の一形態は、上記構成に加え、遺構断面図について、前記発掘工程、前記白色塗料塗布工程、前記写真撮影工程、前記第一の画像データ送信工程、前記第一の画像データ受信工程、前記オルソ画像生成工程、前記遺構実測図生成工程、前記第二の画像データ送信工程、前記第二の画像データ受信工程及び前記遺構実測図確認工程を実行すると共に、該遺構実測図確認工程において両者が一致しているとの確認が取れた後、遺構平面図について、前記発掘工程、前記白色塗料塗布工程、前記写真撮影工程、前記第一の画像データ送信工程、前記第一の画像データ受信工程、前記オルソ画像生成工程、前記遺構実測図生成工程、前記第二の画像データ送信工程、前記第二の画像データ受信工程及び前記遺構実測図確認工程を実行することを特徴とする。
【００１２】
また、開示する遺構発掘調査方法の一形態は、上記構成に加え、前記第一の画像データ送信工程において、前記写真撮影工程で使用した前記デジタルカメラの識別情報を遺構実測図作成装置に送信し、前記オルソ画像生成工程において、前記デジタルカメラの識別情報に基づいて、該デジタルカメラが備えるレンズのゆがみを補正した前記オルソ画像データを生成することを特徴とする。
【００１３】
また、開示する遺構発掘調査方法の一形態は、上記構成に加え、前記写真撮影工程において、遺構平面図に関する遺構実測図を作成する場合、撮影方向を一意に決めるための所定のカメラスタンド装置が規定する平面俯瞰位置、正面斜め俯瞰位置、左斜め俯瞰位置及び右斜め俯瞰位置から前記４枚の写真をデジタルカメラで撮影することを特徴とする。
【００１４】
また、開示する遺構発掘調査方法の一形態は、上記構成に加え、前記所定のカメラスタンド装置が、撮影現場の地面に設置する支持台と、該支持台によって立設され、かつ、カメラが取り付けられる長尺状の一本の支柱とを備え、該支柱を、前記支持台に対して、左右方向及び前方向に傾斜可能に、かつ、周方向に回転可能に立設すると共に、前記支柱の上端側に前記カメラを俯仰自在に設け、かつ、該カメラの俯仰角度の調整を可能にしてなるカメラスタンド装置であって、前記支持台を、板状のベース体と、該ベース体上に固定された球状支持部材と、該球状支持部材を覆うように前記ベース体上に一体化した筒状ケース体とから少なくとも構成し、前記筒状ケース体の上面に、前記支柱を鉛直方向に延在させた状態を保持する中央凹みと、前記支柱が左方向に傾斜した状態を保持する左傾斜保持用凹みと、前記支柱が右方向に傾斜した状態を保持する右傾斜保持用凹みと、前記支柱が前方向に傾斜した状態を保持する前方傾斜保持用凹みと、これら中央凹み、左傾斜保持用凹み、右傾斜保持用凹み及び前方傾斜保持用凹みへの前記支柱の移動を可能にする移動用通路からなる開口を設けると共に、前記左傾斜保持用凹み、右傾斜保持用凹み及び前方傾斜保持用凹みによって、前記支柱の左右方向及び前方向の傾斜角度が、略同一となるように前記支柱が保持される構成とし、さらに、前記支柱の下端に内壁を略半球状とした嵌合凹部材を固定して該嵌合凹部材を、前記筒状ケース体の開口を通して前記支持台の球状支持部材に対して、回転自在に、かつ、着脱自在に、嵌合させることで、前記支柱を前記支持台に対して、回転自在に、かつ、着脱自在に設け、しかも、前記支柱には、前記筒状ケース体の中央凹みに前記支柱を嵌合させた状態で前記支柱を上方に持ち上げた際に、前記中央凹みの縁部下面に係止して前記嵌合凹部材が前記球形頭部から抜け出ることを阻止し、かつ、前記支柱を傾けて前記中央凹みに嵌合しない状態とすることで前記支柱を上方に持ち上げた際に、前記中央凹みの縁部下面に係止することなく前記嵌合凹部材が前記球形頭部から抜け出ることを可能にするストッパーリングを固定したことを特徴とする。
【００１５】
また、開示する遺構発掘調査方法の一形態は、上記構成に加え、前記遺構実測図確認工程において、一致していると視覚的に確認が出来なかった場合、さらに、前記現場端末上で前記遺構実測図データを修正することによって作成した遺構実測図修正データ、又は修正を加えた前記印刷した遺構実測図データについてスキャナで読み取った遺構実測図修正データを、修正指示と共に、前記遺構実測図作成装置に送信する第三の画像データ送信工程を含むことを特徴とする。
【発明の効果】
【００１６】
開示する遺構調査発掘方法は、発掘調査の現場における作業負担が小さく、現場作業員と離れた場所に居る遺構実測図作成者との間の意思疎通を円滑にすることによって、遺構発掘作業の工期短期化を図る。
【図面の簡単な説明】
【００１７】
【図１】（ａ）本実施の形態に係る遺構発掘調査方法により作成した遺構断面図の一例を示す図である。（ｂ）本実施の形態に係る遺構発掘調査方法により作成した遺構平面図の一例を示す図である。
【図２】本実施の形態に係る遺構発掘調査方法による調査対象の遺跡概要を示す図である。
【図３】本実施の形態に係る遺構発掘調査方法による遺構発掘調査の流れを示すフローチャートである。
【図４】本実施の形態に係る調査対象箇所の断面の一例を示す図（白色塗料塗布前）である。
【図５】本実施の形態に係る調査対象箇所の断面の一例を示す図（白色塗料塗布後）である。
【図６】本実施の形態に係る写真撮影工程を説明するための図である。
【図７】本実施の形態に係る遺構実測図生成工程における中間データを示す図である。
【図８】本実施の形態に係る遺構実測図生成工程における中間データ（その２）を示す図である。
【図９】本実施の形態に係る遺構実測図（遺構断面図）を示す図である。
【図１０】本実施の形態に係る調査対象箇所の平面の一例を示す図（白色塗料塗布前）である。
【図１１】本実施の形態に係る調査対象箇所の平面の一例を示す図（白色塗料塗布後）である。
【図１２】本実施の形態に係る写真撮影工程を説明するための図（その２）である。
【図１３】本実施の形態に係るカメラスタンド装置の全体を示す図である。
【図１４】本実施の形態に係るカメラスタンド装置による写真撮影位置を示す図である。
【図１５】本実施の形態に係る本実施の形態に係る遺構実測図生成工程における中間データ（その３）を示す図である。
【図１６】本実施の形態に係る本実施の形態に係る遺構実測図生成工程における中間データ（その４）を示す図である。
【図１７】本実施の形態に係る遺構実測図（遺構平面図）を示す図である。
【発明を実施するための形態】
【００１８】
図面を参照しながら、本発明を実施するための形態について説明する。図１及び２を用いて、本実施の形態に係る遺構発掘調査方法１００の概要について説明する。図１は、遺構発掘調査方法１００により作成された遺構断面図１８０、遺構平面図１９０の一例を示す図であり、図２は、遺構発掘調査方法１００による調査対象となる遺構２１０を含む遺跡概要図である。
【００１９】
土木工事や建築工事を行う場所に遺構２１０が存在する場合、文化財保護法など所定の法令による要請に基づき、これら工事によって破壊される前に、遺構２１０を断面方向及び平面方向から実測した遺構断面図１８０及び遺構平面図１９０を作成する。
【００２０】
遺構発掘調査方法１００は、上記法令の要請に基づき工事現場で行われる遺構２１０の発掘調査の方法に関するものである。具体的には、遺構発掘調査方法１００は、図１で示すような（ａ）遺構断面図１８０及び（ｂ）遺構平面図１９０の作成作業を自動化し、発掘調査期間及びそれに伴う工事期間の短期化を図る方法に関するものである。
【００２１】
一方、図２で示すように、一つの遺跡の中には、遺構断面図１８０及び遺構平面図１９０の作成対象となる遺構が複数点在しているので、各遺構について遺構断面図１８０及び遺構平面図１９０を作成する必要がある。
【００２２】
ただし、各遺構についての遺構断面図１８０及び遺構平面図１９０の作成方法は、その手順が共通しており、一つの遺構２１０に適用した方法を他の遺構に適用すれば、図２で示す全ての遺構についての遺構断面図１８０及び遺構平面図１９０を作成することができる。
【００２３】
従って、以下では、図３乃至１７を用いて、遺構発掘調査方法１００について詳細に説明するが、図２中央に位置する遺構２１０に関する調査発掘の方法について説明する。図３は、遺構発掘調査方法１００の流れを示すフローチャートである。
【００２４】
図３で示すように、遺構発掘調査方法１００は、遺構２１０を断面方向から観察した遺構実測図である遺構断面図１８０の作成について、発掘工程（Ｓ１０）、白色塗料塗布工程（Ｓ２０）、写真撮影工程（Ｓ３０）、第一の画像データ送信工程（Ｓ４０）、第一の画像データ受信工程（Ｓ４０）、オルソ画像生成工程（Ｓ５０）、遺構実測図生成工程（Ｓ６０）、第二の画像データ送信工程（Ｓ７０）、第二の画像データ受信工程（Ｓ７０）、遺構実測図確認工程（Ｓ８０）、第三の画像データ送信工程（Ｓ９０、Ｓ１００）を含む。
【００２５】
また、遺構発掘調査方法１００は、遺構２１０を真上方向から観察した遺構実測図である遺構平面図１９０の作成について、発掘工程（Ｓ１１０）、白色塗料塗布工程（Ｓ１２０）、写真撮影工程（Ｓ１３０）、第一の画像データ送信工程（Ｓ１４０）、第一の画像データ受信工程（Ｓ１４０）、オルソ画像生成工程（Ｓ１５０）、遺構実測図生成工程（Ｓ１６０）、第二の画像データ送信工程（Ｓ１７０）、第二の画像データ受信工程（Ｓ１７０）、遺構実測図確認工程（Ｓ１８０）、第三の画像データ送信工程（Ｓ１９０、Ｓ２００）を含む。
【００２６】
Ｓ１０の発掘工程においては、図４で示すように、遺構実測図１８０の作成対象となる遺構２１０断面を発掘する。このとき、遺構実測図１８０の作成対象となる遺構２１０断面が露出されれば良く、発掘の道具、発掘の手法等について特に制限は無い。図４中の点線で示している部分は、遺構実測図１８０において一の部分と他の部分とを区別して表記させたい箇所の境界線２２０である。境界線２２０は、上端線、下端線、分層線、表土線、掘り方線と言われるものを含む。また、Ｓ１０における遺構２１０断面に境界線２２０は引かれておらず、説明のため便宜的に点線で記入した。
【００２７】
Ｓ２０の白色塗料塗布工程においては、図５で示すように、遺構実測図１８０の作成対象となる遺構２１０断面において、遺構実測図１８０上で区別して表記させたい箇所の境界に、白色塗料によって境界線２２０を記入する。境界線２２０は、後工程の画像処理の関係上、白色である必要があるものの、略白色であれば良く、純粋な白色でなくても良い。また、境界線２２０は、遺構実測図１８０において一の部分と他の部分とを区別して表記させたい箇所の境界を示すものであって、上端線、下端線、分層線、表土線、掘り方線などと言われるものを含む。
【００２８】
Ｓ３０の写真撮影工程においては、図６で示すように、Ｓ１０にて発掘し、Ｓ２０にて白線を引いた遺構実測図１８０の作成対象となる遺構２１０断面について、デジタルカメラ２４０による写真撮影を行う。写真撮影工程では、少なくとも４枚の写真を撮影する。これら４枚の写真は、図６（ａ）で示すように遺構断面のほぼ正面位置、図６（ｂ）で示すように遺構断面俯瞰位置、図６（ｃ）で示すように遺構断面の斜め右側位置、図６（ｄ）で示すように遺構断面の斜め左側位置からそれぞれ１枚ずつ撮影する。図４及び図５で示すように、これら４枚の写真には、コノエダブル３３０、対空指標など遺構２１０の位置情報を示すものや、ピンポールなど画拡の範囲を仕切ったり、写真解析時に長さの確認をしたりするものも写り込ませる。
【００２９】
Ｓ４０の第一の画像データ送信工程においては、通信ネットワーク１３０を介して現場端末１４０から遺構実測図作成装置１５０へ、Ｓ３０にて撮影した遺構２１０断面の写真データ、当該写真内の所定位置の座標データ及び撮影を行ったデジタルカメラ２４０の識別情報を含む遺構実測図作成用データ２５０を送信する。なお、現場端末１４０は、通信機能を備えた携帯情報端末やパーソナルコンピュータなどを想定しているが、本願発明で規定した機能を発揮する限り、特に形態は限定しない。
【００３０】
Ｓ４０の第一の画像データ受信工程においては、遺構実測図を作成する作業場１２０に設置される遺構実測図作成装置１５０が、第一の画像データ送信工程にて送信された遺構実測図作成用データ２５０を受信する。なお、遺構実測図作成装置１５０は、通信機能を備えたパーソナルコンピュータなど情報処理装置を想定しているが、本願発明で規定した機能を発揮する限り、特に形態は限定しない。また、第一の画像データ送信工程及び第一の画像データ受信工程においては、現場端末１４０・遺構実測図作成装置１５０間で直接遺構実測図作成用データ２５０の授受を行っても良いが、通信ネットワーク１３０上に設置されたストレージを介して遺構実測図作成用データ２５０の授受を行う形態としても良い。
【００３１】
Ｓ５０のオルソ画像生成工程においては、遺構実測図作成装置１５０が、Ｓ４０にて受信した遺構実測図作成用データ２５０に基づいて、遺構実測図１８０の作成対象となる遺構２１０断面のオルソ画像１６０を生成する。オルソ画像１６０は、調査対象遺構２１０の位置情報を含む。例えば、図５で示すように、オルソ画像生成工程において生成されるオルソ画像１６０は、画像の形状に歪みが無く、また位置も正しく配置されているので、画像上で位置や面積、距離などを正確に計測することが可能である。なお、オルソ画像１６０を生成する情報処理では、一例として、三次元写真図化計測システムＫｕｒａｖｅｓ−Ｇ２（倉敷紡績株式会社）、Ａｄｏｂｅ  Ｐｈｏｔｏｓｈｏｐ（アドビシステムズ株式会社）などのソフトウエアを利用する。
【００３２】
Ｓ６０の遺構実測図生成工程においては、遺構実測図作成装置１５０が、Ｓ５０にて生成したオルソ画像データ１６０に基づいて、遺構実測図データ１８０を生成する。具体的な処理としては、図５で示すようなオルソ画像データ１６０に対し所定の境界閾値を適用した２階調化処理を施し、図７で示すような中間的な画像データ２７０を生成する。次の段階として、図７の中間的な画像データ２７０に対し、白黒反転処理を施し、図８で示すような画像データ２８０を生成する。最終的には、図８の画像データに調査対象遺構２１０の位置情報を合成すると、図９で示すような調査対象遺構２１０の位置情報を含む遺構実測図データ１８０が生成される。
【００３３】
Ｓ７０の第二の画像データ送信工程においては、通信ネットワーク１３０を介して遺構実測図作成装置１５０から現場端末１４０へ、Ｓ６０にて生成した遺構実測図データ１８０を送信する。
【００３４】
Ｓ７０の第二の画像データ受信工程においては、遺構発掘調査の現場１１０に設置される現場端末１４０が、第二の画像データ送信工程にて送信された遺構実測図データ１８０を受信する。なお、第二の画像データ送信工程及び第二の画像データ受信工程においては、現場端末１４０・遺構実測図作成装置１５０間で直接遺構実測図データ１８０の授受を行っても良いが、通信ネットワーク１３０上に設置されたストレージを介して遺構実測図データ１８０の授受を行う形態としても良い。
【００３５】
Ｓ８０の遺構実測図確認工程においては、現場端末１４０上に表示させた遺構実測図データ１８０又は現場端末１４０から印刷させた遺構実測図データ１８０と、図５で示す遺構実測図１８０の作成対象となる遺構２１０断面とを比較し、両者が一致するか否かを視覚的に確認する。
【００３６】
ここで、Ｓ８０にて両者の一致が確認できない場合（Ｓ９０でＹｅｓ）、手順はＳ１００へ進む。一方、Ｓ８０にて両者の一致が確認できた場合（Ｓ９０でＮｏ）、手順はＳ１１０へ進み、遺構２１０平面の遺構実測図作成作業へと移行する。
【００３７】
Ｓ１００の第三の画像データ送信工程においては、遺構実測図データ１８０を現場端末１４０上で修正した遺構実測図修正データ３１０又は印刷した遺構実測図データ１８０に修正を加えたものをスキャナで読み取り作成した遺構実測図修正データ３１０を、修正指示と共に、通信ネットワーク１３０を介して現場端末１４０から遺構実測図作成装置１５０へ送信する。遺構実測図作成装置１５０では、受信した遺構実測図修正データ３１０及び修正指示に基づき遺構実測図１８０を完成させる。
【００３８】
Ｓ１１０の発掘工程においては、図１０で示すように、遺構実測図１９０の作成対象となる遺構２１０平面を発掘する。このとき、遺構実測図１９０の作成対象となる遺構２１０平面が露出されれば良く、発掘の道具、発掘の手法等について特に制限は無い。図１０中の点線で示している部分は、遺構実測図１９０において一の部分と他の部分とを区別して表記させたい箇所の境界線２３０である。境界線２３０は、上端線、下端線、分層線、表土線、掘り方線と言われるものである。また、Ｓ１１０における遺構２１０平面には境界線２３０は引かれておらず、説明のため便宜的に点線を付した。
【００３９】
Ｓ１２０の白色塗料塗布工程においては、図１１で示すように、遺構実測図１９０の作成対象となる遺構２１０平面において、遺構実測図１９０上で区別して表記させたい箇所の境界に、白色塗料によって境界線２３０を記入する。境界線２３０は、後工程の画像処理の関係上、白色である必要があるものの、略白色であれば良く、純粋な白色でなくても良い。また、境界線２３０は、遺構実測図１９０において一の部分と他の部分とを区別して表記させたい箇所の境界を示すものであって、上端線、下端線、分層線、表土線、掘り方線などと言われるものを含む。
【００４０】
Ｓ１３０の写真撮影工程においては、図１１で示すように、Ｓ１１０にて発掘し、Ｓ１２０にて白線を引いた遺構実測図１９０の作成対象となる遺構２１０平面について、デジタルカメラ２４０による写真撮影を行う。写真撮影工程では、少なくとも４枚の写真を撮影する。これら４枚の写真は、図１２（ａ）で示すように遺構平面の真上位置（平面俯瞰位置）、図１２（ｂ）で示すように遺構正面俯瞰位置、図１２（ｃ）で示すように遺構断平面の斜め右側位置、図１２（ｄ）で示すように遺構平面の斜め左側位置からそれぞれ１枚ずつ撮影する。図１０及び図１１で示すように、当該写真には、コノエダブル３３０、対空指標など遺構の位置情報を示すものや、ピンポールなど画拡の範囲を仕切ったり、解析時に長さの確認をしたりするものも写り込ませる。
【００４１】
図１３で示すように、図１２（ａ）乃至（ｄ）で示す撮影方向はカメラスタンド装置２００によって定められる。カメラスタンド装置２００は、遺構平面図１９０を作成するための写真の撮影方向を定める専用器具であり、図１２（ａ）の遺構平面の真上位置（平面俯瞰位置）、図１２（ｂ）の遺構正面俯瞰位置、図１２（ｃ）の遺構断平面の斜め右側位置、図１２（ｄ）の遺構平面の斜め左側位置を一意に決めることができる。
【００４２】
カメラスタンド装置２００は、撮影現場の地面に設置する支持台と、該支持台によって立設され、かつ、カメラが取り付けられる長尺状の一本の支柱とを備え、該支柱を、前記支持台に対して、左右方向及び前方向に傾斜可能に、かつ、周方向に回転可能に立設すると共に、前記支柱の上端側に前記カメラを俯仰自在に設け、かつ、該カメラの俯仰角度の調整を可能にしてなるカメラスタンド装置であって、前記支持台を、板状のベース体と、該ベース体上に固定された球状支持部材と、該球状支持部材を覆うように前記ベース体上に一体化した筒状ケース体とから少なくとも構成し、前記筒状ケース体の上面に、前記支柱を鉛直方向に延在させた状態を保持する中央凹みと、前記支柱が左方向に傾斜した状態を保持する左傾斜保持用凹みと、前記支柱が右方向に傾斜した状態を保持する右傾斜保持用凹みと、前記支柱が前方向に傾斜した状態を保持する前方傾斜保持用凹みと、これら中央凹み、左傾斜保持用凹み、右傾斜保持用凹み及び前方傾斜保持用凹みへの前記支柱の移動を可能にする移動用通路からなる開口を設けると共に、前記左傾斜保持用凹み、右傾斜保持用凹み及び前方傾斜保持用凹みによって、前記支柱の左右方向及び前方向の傾斜角度が、略同一となるように前記支柱が保持される構成とし、さらに、前記支柱の下端に内壁を略半球状とした嵌合凹部材を固定して該嵌合凹部材を、前記筒状ケース体の開口を通して前記支持台の球状支持部材に対して、回転自在に、かつ、着脱自在に、嵌合させることで、前記支柱を前記支持台に対して、回転自在に、かつ、着脱自在に設け、しかも、前記支柱には、前記筒状ケース体の中央凹みに前記支柱を嵌合させた状態で前記支柱を上方に持ち上げた際に、前記中央凹みの縁部下面に係止して前記嵌合凹部材が前記球形頭部から抜け出ることを阻止し、かつ、前記支柱を傾けて前記中央凹みに嵌合しない状態とすることで前記支柱を上方に持ち上げた際に、前記中央凹みの縁部下面に係止することなく前記嵌合凹部材が前記球形頭部から抜け出ることを可能にするストッパーリングを固定したことを特徴とする。カメラスタンド装置２００は、特許第４４４６２５６号に係るカメラスタンド装置の同等物である。
【００４３】
そして、図１４（ａ）で示すように、カメラスタンド装置２００は、支柱を遺構２１０側に倒し、デジタルカメラ２４０を真下に向けて、遺構真上からの写真撮影（図１２（ａ））を可能にし、支柱を手前側に引き垂直にすることで、遺構正面俯瞰位置からの写真撮影（図１２（ｂ））を可能にする。また、図１４（ｂ）で示すように、カメラスタンド装置２００は、支柱を手前側に引き垂直にした状態で支柱を左右の決められた位置まで倒すことによって、遺構平面の斜め右側位置（図１２（ｃ））、及び遺構平面の斜め左側位置（図１２（ｄ））からの写真撮影を可能にする。
【００４４】
Ｓ１４０の第一の画像データ送信工程においては、通信ネットワーク１３０を介して現場端末１４０から遺構実測図作成装置１５０へ、Ｓ１３０にて撮影した遺構２１０平面の写真データ、当該写真内の所定位置の座標データ及び撮影を行ったデジタルカメラ２４０の識別情報を含む遺構実測図作成用データ２６０を送信する。
【００４５】
Ｓ１４０の第一の画像データ受信工程においては、遺構実測図作成装置１５０が、第一の画像データ送信工程にて送信された遺構実測図作成用データ２６０を受信する。なお、第一の画像データ送信工程及び第一の画像データ受信工程においては、現場端末１４０・遺構実測図作成装置１５０間で直接遺構実測図作成用データ２６０の授受を行っても良いが、通信ネットワーク１３０上に設置されたストレージを介して遺構実測図作成用データ２６０の授受を行う形態としても良い。
【００４６】
Ｓ１５０のオルソ画像生成工程においては、遺構実測図作成装置１５０が、Ｓ１４０にて受信した遺構実測図作成用データ２６０に基づいて、遺構実測図１９０の作成対象となる遺構２１０平面のオルソ画像１７０を生成する。オルソ画像１７０は、調査対象遺構２１０の位置情報を含む。例えば、図１１で示すように、オルソ画像生成工程において生成されるオルソ画像１７０は、画像の形状に歪みが無く、また位置も正しく配置されているので、画像上で位置や面積、距離などを正確に計測することが可能である。なお、オルソ画像１７０を生成する情報処理は、一例として、三次元写真図化計測システムＫｕｒａｖｅｓ−Ｇ２（倉敷紡績株式会社）、Ａｄｏｂｅ  Ｐｈｏｔｏｓｈｏｐ（アドビ  システムズ株式会社）などのソフトウエアを利用する。
【００４７】
Ｓ１６０の遺構実測図生成工程においては、遺構実測図作成装置１５０が、Ｓ１５０にて生成したオルソ画像データ１７０に基づいて、遺構実測図データ１９０を生成する。具体的な処理としては、図１１で示すようなオルソ画像データ１７０に対し所定の境界閾値を適用した２階調化処理を施し、図１５で示すような中間的な画像データ２７０を生成する。次の段階として、図１５の中間的な画像データ２７０に対し、白黒反転処理を施し、図１６で示すような画像データ２８０を生成する。最終的には、図１６の画像データ２８０に調査対象遺構２１０の位置情報を合成すると、図１７で示すような調査対象遺構２１０の位置情報を含む遺構実測図データ１９０が生成される。
【００４８】
Ｓ１７０の第二の画像データ送信工程においては、通信ネットワーク１３０を介して遺構実測図作成装置１５０から現場端末１４０へ、Ｓ１６０にて生成した遺構実測図データ１９０を送信する。
【００４９】
Ｓ１７０の第二の画像データ受信工程においては、現場１１０に設置される現場端末１４０が、第二の画像データ送信工程にて送信された遺構実測図データ１９０を受信する。なお、第二の画像データ送信工程及び第二の画像データ受信工程においては、現場端末１４０・遺構実測図作成装置１５０間で直接遺構実測図データ１９０の授受を行っても良いが、通信ネットワーク１３０上に設置されたストレージを介して遺構実測図データ１９０の授受を行う形態としても良い。
【００５０】
Ｓ１８０の遺構実測図確認工程においては、現場端末１４０上に表示させた遺構実測図データ１９０又は現場端末１４０から印刷させた遺構実測図データ１９０と、図１１で示す遺構実測図１９０の作成対象となる遺構２１０平面とを比較し、両者が一致するか否かを視覚的に確認する。
【００５１】
ここで、Ｓ１８０にて両者の一致が確認できない場合（Ｓ１９０でＹｅｓ）、手順はＳ２００へ進む。一方、Ｓ１８０にて両者の一致が確認できた場合（Ｓ１９０でＮｏ）、遺構発掘調査方法１００の作業手順は終了する。
【００５２】
Ｓ２００の第三の画像データ送信工程においては、遺構実測図データ１９０を現場端末１４０上で修正した遺構実測図修正データ３２０又は印刷した遺構実測図データ１９０に修正を加えたものをスキャナで読み取り作成した遺構実測図修正データ３２０を、修正指示と共に、通信ネットワーク１３０を介して現場端末１４０から遺構実測図作成装置１５０へ送信する。遺構実測図作成装置１５０では、受信した遺構実測図修正データ及び修正指示に基づき遺構実測図１９０を完成させる。これで、遺構発掘調査方法１００の作業手順は終了する。
（総括）
【００５３】
従来の遺構発掘調査方法では、白色塗料塗布工程を行わない状態の遺構２１０の写真について、作業場１２０において上端線、下端線、分層線などを適宜オルソ画像上に手作業で書き込むことで遺構実測図を作成していた。従って、現場１１０と作業場１２０で意思の疎通が悪く、遺構実測図草案の修正が度重なり、結果として遺構実測図の作成期間が伸び、それに伴い工事期間も長くなっていた。
【００５４】
遺構発掘調査方法１００は、現場１１０の意思が白色塗料塗布工程における白線描画で表されており、遺構実測図１８０、１９０の作成作業も自動化される。そのため、現場１１０と作業場１２０で意思の疎通が格段に良くなると共に、遺構実測図草案の修正頻度が減り、結果として遺構実測図１８０、１９０の作成期間・工事期間が短縮される。
【００５５】
また、遺構発掘調査方法１００は、遺構実測図１８０、１９０の作成作業が自動化されることに伴い、作業員の数が少なくなるため、遺構発掘調査に係る費用の削減を見込むことができる。
【００５６】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５７】
１００  遺構発掘調査方法
１１０  遺構発掘調査の現場（現場）
１２０  遺構実測図を作成する作業場（作業場）
１３０  通信ネットワーク
１４０  現場端末
１５０  遺構実測図作成装置
１６０  オルソ画像データ（遺構断面）
１７０  オルソ画像データ（遺構平面）
１８０  遺構実測図データ（遺構断面図）
１９０  遺構実測図データ（遺構平面図）
２００  カメラスタンド装置
２１０  調査対象の遺構
２２０  境界線（遺構平面）
２３０  境界線（遺構断面）
２４０  デジタルカメラ
２５０  遺構実測図作成用データ（遺構断面）
２６０  遺構実測図作成用データ（遺構平面）
２７０  中間データ（遺構断面、２階調処理後）
２８０  中間データ（遺構断面、白黒反転処理後）
２９０  中間データ（遺構平面、２階調処理後）
３００  中間データ（遺構平面、白黒反転処理後）
３１０  遺構実測図修正データ（遺構断面）
３２０  遺構実測図修正データ（遺構平面）
３３０  コノエダブル
【図１】
2014066531.tif 000003
【図２】
2014066531.tif 000004
【図３】
2014066531.tif 000005
【図４】
2014066531.tif 000006
【図５】
2014066531.tif 000007
【図６】
2014066531.tif 000008
【図７】
2014066531.tif 000009
【図８】
2014066531.tif 000010
【図９】
2014066531.tif 000011
【図１０】
2014066531.tif 000012
【図１１】
2014066531.tif 000013
【図１２】
2014066531.tif 000014
【図１３】
2014066531.tif 000015
【図１４】
2014066531.tif 000016
【図１５】
2014066531.tif 000017
【図１６】
2014066531.tif 000018
【図１７】
2014066531.tif 000019